(57)【要約】【課題】  段積み可能な輸送用パレットの低コスト化【解決手段】  輸送用パレット１は、横長の床材２の縦側縁部に両端床梁３、４を配設するとともに、床材２の横側縁の中間部の離れた位置に縦方向に中間床梁５，６を配設したベースと、ベースの中間床梁５、６の両端部に立設した中間柱材１１〜１４と、中間柱材１１〜１４のうち縦方向に離れた中間柱材（１１、１３）、（１２、１４）の上部に架設した天梁材２１、２２と、中間柱材１１〜１４のうち横方向に離れた中間柱材（１１、１２）、（１３、１４）の上部に架設した上かまち材３１、３２と、天梁材２１、２２又は上かまち材３１、３２の端部と、床材２の角部との間に張設した斜材４１〜４４とを備えたものである。【選択図】  図１
2006306413.tif 000002
【特許請求の範囲】
【請求項１】
横長の床材の縦側縁部に両端床梁を配設するとともに、前記床材の横側縁の中間部の離れた位置に縦方向に中間床梁を配設したベースと、
前記ベースの中間床梁の両端部に立設した中間柱材と、
前記中間柱材のうち縦方向に離れた中間柱材の上部に架設した天梁材と、
前記中間柱材のうち横方向に離れた中間柱材の上部に架設した上かまち材と、
前記天梁材又は上かまち材の端部と、前記床材の角部との間に張設した斜材とを備えたことを特徴とする輸送用パレット。
【請求項２】
前記ベースに対して、中間柱材と、天梁材と、上かまち材と、斜材が接離可能に取り付けられていることを特徴とする請求項１に記載の輸送用パレット。
【請求項３】
前記中間柱材と天梁材と上かまち材をそれぞれ軸方向に連結する連結構造を備えており、中間柱材に対し、前記天梁材と上かまち材のうち斜材を取り付けた方の部材を上に重ねて順に、中間柱材の上部に取り付けたことを特徴とする請求項１に記載の輸送用パレット。
【発明の詳細な説明】
【技術分野】
【０００１】
本発明は輸送用パレットに関するものである。
【背景技術】
【０００２】
輸送用パレットとしては床梁の上に床材を敷設し、床材の上に品物を載せ、フォークリフトで掬い上げるのに用いるものがある。また、品物を載せた状態で上下に段積みが可能なものとして、例えば、特許２５３７０１９号が開示されているように、箱状に骨組を組付けたものも知られている。
【特許文献１】特許２５３７０１９号
【発明の開示】
【発明が解決しようとする課題】
【０００３】
近年、鉄鋼材料の需要が高まり、鉄鋼材料の価格が高くなってきている。斯かる背景において、輸送用パレットの低コスト化が求められている。特許２５３７０１９号に記載された輸送用パレットは、上下に段済みが可能である反面、骨組点数が多く、重量も重く、材料コストも嵩む。上述したスチールコンテナは四面を骨組みのスチールパネルで囲っているが、パレットとして品物を載せて舟積みコンテナ内に収容する用途では、周囲を骨組みのスチールパネルで囲む必要は必ずしもない。また、パレットはパレット輸送の際に嵩張らないように組立や解体が容易にできる組立式にすることが望ましい。また、屋内のスペースを有効に活用するには、品物を載せた状態で、段積み可能なものが望ましい。
【課題を解決するための手段】
【０００４】
本発明に係る輸送用パレットは、横長の床材の縦側縁部に両端床梁を配設するとともに、床材の横側縁の中間部の離れた位置に縦方向に中間床梁を配設したベースと、ベースの中間床梁の両端部に立設した中間柱材と、中間柱材のうち縦方向に離れた中間柱材の上部に架設した天梁材と、中間柱材のうち横方向に離れた中間柱材の上部に架設した上かまち材と、天梁材又は上かまち材の端部と、床材の角部との間に張設した斜材とを備えたことを特徴としている。
【０００５】
輸送用パレットは、ベースに対して、中間柱材と、天梁材と、上かまち材と、斜材を接離可能に取り付けてもよい。
【０００６】
また、輸送用パレットは、中間柱材と天梁材と上かまち材をそれぞれ軸方向に連結する連結構造を備えており、中間柱材に対し、天梁材と上かまち材のうち斜材を取り付けた方の部材を上に重ねて順に、中間柱材の上部に取り付けてもよい。
【発明の効果】
【０００７】
この輸送用パレットは、横長の床材の縦側縁部に両端床梁を配設するとともに、床材の横側縁の中間部の離れた位置に縦方向に中間床梁を配設してベースを構成し、ベースの中間床梁の両端部に中間柱材を立設し、中間柱材のうち縦方向に離れた中間柱材の上部に天梁材を架設し、中間柱材のうち横方向に離れた中間柱材の上部に上かまち材を架設しており、天梁材又は上かまち材の端部と、床材の角部との間に斜材を張設しているので、床材の上に品物を載せ、フォークリフトで持ち上げたときに、斜材に作用する張力により、床材を水平に支持することができる。斜材に作用する張力は上かまち材又は天梁材を介して中間柱材に軸方向に作用するので、安定して品物を支持することができる。
【０００８】
また、品物を載せた状態で段積みをしても、上側の輸送用パレットの荷重は、中間柱材に軸方向に掛かり、これを支持することができる。また、この輸送用パレットによれば、骨組点数も少なくなるので、軽量化、低コスト化を図ることができる。
【０００９】
また、ベースに対して、中間柱材と、天梁材と、上かまち材と、斜材を接離可能にしたものは組立式とすることができ、この輸送用パレットは、骨組などの部品点数が少ないので、組立や解体が容易にでき、使用前の輸送コスト、使用後の回収輸送コスト、在庫スペースの省スペース化などの点で有利である。
【００１０】
また、中間柱材と天梁材と上かまち材をそれぞれ軸方向に連結する連結構造を備えており、中間柱材に対し、天梁材と上かまち材のうち斜材を取り付けた方の部材を上に重ねて順に、中間柱材の上部に取り付けたものは、床材の上に品物を載せ、フォークリフトで持ち揚げた場合に、品物の荷重を受けて斜材に作用する張力により、上かまち材と天梁材のうち斜材を取り付けた部材が押し下げられ、上かまち材と天梁材は浮き上がることなく、中間柱材に押し付けられる。このようにボルトやナットなどで上かまち材と天梁材を締結しなくても各部材が外れないので、組立や解体をさらに容易にできる。
【００１１】
また、中間床梁の底部に中間柱材の上部に設けた突起が嵌まる穴を形成し、中間柱材の上部に設けた突起に、中間床梁に形成した穴を嵌めて、輸送用パレットを上下に段積み可能にしたものは、段積みした際に、上下の輸送用パレットの中間柱材が中間床梁を介して上下に直列に連結されるので、段積み状態を安定させることができる。
【発明を実施するための最良の形態】
【００１２】
以下、本発明の一実施形態に係る輸送用パレットを図面に基づいて説明する。
【００１３】
この輸送用パレット１は、図１に示すように、横長の床材２と、両端床梁３、４と、中間床梁５、６と、補強材７、８と、中間柱材１１〜１４と、天梁材２１、２２と、上かまち材３１、３２と、斜材４１〜４４とを備えている。
【００１４】
横長の床材２と、両端床梁３、４と、中間床梁５、６と、補強材７、８と、角パイプ９は、図２に示すように、この輸送用パレット１のベースを構成している。床材２は、この実施形態では、図２に示すように、矩形の波板状のスチールパネルであり、床材２の横側縁部に補強材７、８を溶接し、縦側縁部の底面に両端床梁３、４を溶接している。詳しくは、両端床梁３、４はコ字形断面の鋼材であり、コ字の両側にフランジ３ａ、４ａが形成されている。両端床梁３、４は、図１に示すように、フランジ３ａ、４ａを床材２の縦側縁部の底面に当てて溶接している。補強材７、８はコ字形断面の鋼材であり、図１に示すように、コ字の開口部を上向きにして床材２の横側縁部に取り付けている。床材２の角部に位置する補強材７、８の両端には斜材４１〜４４を取り付ける取付穴７ａ、８ａを形成している。また、補強材７、８の両端から１/３の部分には、図３に示すように、中間床梁５、６を取り付ける角穴７ｂ、８ｂを形成している。
【００１５】
中間床梁５、６は、図１に示すように、床材２の中間部の離れた２箇所に縦方向に配設した梁材である。この実施形態では、床材２の両端からそれぞれ１/３の部分に縦方向に取り付けている。中間床梁５、６は、図２に示すように、コ字形断面の鋼材であり、コ字の両側にフランジ５ａ、６ａを形成しており、中間床梁５、６の両端にはコ字形の凹部に角パイプ９を差し込んで溶接している。中間床梁５、６は、図３に示すように、補強材７、８に設けた角穴７ｂ、８ｂに角パイプ９を差し込み、フランジ５ａ、６ａを床材２の床面に押し当てて溶接している。また、中間床梁５、６の両端の底面には、輸送用パレット１を段積みする際に、中間柱材１１〜１４を連結するための連結穴５ｂ、６ｂを形成している。
【００１６】
このように床材２に補強材７、８、両端床梁３、４、中間床梁５、６を取り付けると、図４に示すように、輸送用パレット１のベースを組み立てることができる。次に、ベースに対して取り付けられる中間柱材１１〜１４と、天梁材２１、２２と、上かまち材３１、３２と、斜材４１〜４４の各部材を順に説明する。なお、この実施形態では、中間柱材１１〜１４と天梁材２１、２２と上かまち材３１、３２をそれぞれ軸方向に連結する連結構造を備えており、かつ、斜材４１〜４４は上かまち材３１、３２に取り付けてあり、天梁材２１、２２、上かまち材３１、３２の順に重ねて中間柱材１１〜１４に組付けている。以下、詳述する。
【００１７】
中間柱材１１〜１４は床材の中間部に位置する中間床梁５、６の両端部に立設するものである。この実施形態では、中間柱材１１〜１４は、角柱形状の鋼材であり、図６に示すように、中間床梁５、６の両端に取り付けた角パイプ９に挿し込んで立設固定している。中間柱材１１〜１４の上部には、輸送用パレット１を組み立てる際に上かまち材３１、３２と天梁材２１、２２を取り付けるとともに、段積みする際に輸送用パレット１の底面に取り付けられた中間床梁５、６の連結穴５ｂ、６ｂを差し込む突起１１ａ〜１４ａを設けている。
【００１８】
天梁材２１、２２は、中間柱材１１〜１４のうち縦方向に離れた中間柱材（１１、１３）、（１２、１４）の上部に架設する部材である。この実施形態では、天梁材２１、２２は、縦方向に離れた中間柱材（１１、１３）、（１２、１４）の上部に架設可能な長さを備えたコ字形断面の鋼材を用い、コ字の開口部を下に向け、天梁材２１、２２の両端を中間柱材（１１、１３）、（１２、１４）の上部に被せるように装着している。中間柱材（１１、１３）、（１２、１４）に装着する部位には、それぞれ中間柱材１１〜１４の上部に設けた突起１１ａ〜１４ａが貫通する穴２１ａ、２２ａを形成し、中間柱材１１〜１４の上部の突起１１ａ〜１４ａに穴２１ａ、２２ａを差し込んで中間柱材１１〜１４に架設している。
【００１９】
上かまち材３１、３２は中間柱材１１〜１４のうち横方向に離れた中間柱材（１１、１２）、（１３、１４）の上部に架設した部材である。この実施形態では、横方向に離れた中間柱材（１１、１２）、（１３、１４）の上部に架設可能な断面がＬ字形の鋼材を用い、Ｌ字の一方の面が中間柱材（１１、１２）、（１３、１４）の上部に被さり、他方の面が中間柱材（１１、１２）、（１３、１４）の上部で外側に被さるように中間柱材（１１、１２）、（１３、１４）に装着している。中間柱材１１〜１４に装着する部位には、それぞれ中間柱材１１〜１４の上部に設けた突起１１ａ〜１４ａが貫通する穴３１ａ、３２ａを形成し、中間柱材１１〜１４の上部の突起１１ａ〜１４ａに穴３１ａ、３２ａを差し込んで中間柱材１１〜１４に架設している。また、中間柱材１１〜１４の外側に被さる面の両端には、リベット３１ｂ、３２ｂでそれぞれ斜材４１〜４４を取り付けている。
【００２０】
斜材４１〜４４は上かまち材３１、３２の両端と補強材７、８の取付穴７ａ、８ａとの間に斜めに架設される部材である。この実施形態では、丸棒状の部材であり、上かまち材３１、３２にはリベット３１ｂ、３２ｂで取り付けている。補強材７、８に取り付ける側は取付片４１ａ〜４４ａを備えており、取付穴４１ｂ〜４４ｂを形成している。この輸送用パレット１は、斜材４１〜４４を取り付けた上かまち材３１、３２が天梁材２１、２２の上に重なるように、天梁材２１、２２、上かまち材３１、３２の順に中間柱材１１〜１４の突起１１ａ〜１４ａに装着し、斜材４１〜４４の取付片４１ａ〜４４ａを補強材７、８の取付穴７ａ、８ａにボルトで取り付けている。
【００２１】
この輸送用パレット１を段積みする際は、図７（ａ）に示すように、中間柱材１１〜１４の上部に設けた突起１１ａ〜１４ａに、上に載せる輸送用パレット１の中間床梁５、６の連結穴５ｂ、６ｂを嵌めて段積みする。中間床梁５、６の底部に中間柱材１１〜１４の上部に設けた突起１１ａ〜１４ａが嵌まる穴５ｂ、６ｂを形成し、中間柱材１１〜１４の上部に設けた突起１１ａ〜１４ａに、中間床梁５、６に形成した穴５ｂ、６ｂを嵌めて、輸送用パレット１を上下に段積みしているので、段積みした際に、上下の輸送用パレット１の中間柱材１１〜１４が中間床梁５、６を介して上下に直列に連結されるので、段積み状態を安定させることができる。
【００２２】
また、この輸送用パレット１によれば、骨組点数も少なく、軽量化、低コスト化を図ることができる。また、中間床梁５、６と、中間柱材１１〜１４と、天梁材２１、２２と、上かまち材３１、３２と、斜材４１〜４４が接離可能であるので、組立式とすることができ、骨組などの部品点数が少ないので、組立や解体が容易にできる。また、組立式であるから、輸送用パレットを輸送する際や収納する際にコンパクトになり、使用前の輸送コスト、使用後の回収輸送コストのコスト削減ができ、在庫スペースの省スペース化を図ることができる。
【００２３】
この輸送用パレット１は、図７（ｂ）に示すように、床材２の上に品物を載せ、フォークリフトで持ち上げる際は、フォークリフトの爪部５１、５２を床材２の下に中間床梁５、６に沿って入れて持ち上げる。
【００２４】
床材２の上に品物を載せ、フォークリフトで持ち上げたとき、品物の荷重は床材２の両端を押し下げる方向に作用するが、斜材４１〜４４に作用する張力により、床材２を水平に支持することができる。このとき斜材４１〜４４に作用する張力は上かまち材３１、３２を介して中間柱材１１〜１４を軸方向下向きに圧縮する方向に作用する。これにより、天梁材２１、２２、中間柱材１１〜１４はボルトで締結しなくても使用中に外れることはない。これによりボルトやナットなどで上かまち材３１、３２と天梁材２１、２２を締結しなくても、各部材が外れない。このように締結部材を用いないので、組立や解体をさらに容易にできる。
【００２５】
以上、本発明の一実施形態に係る輸送用パレットを説明したが、本発明に係る輸送用パレットは上述した実施形態に限定されるものではない。
【００２６】
例えば、床材は波板状のスチールパネルを例示したがこれには限定されず、板材としてもよいし、棒状の板材を複数本並べて床を構成してもよい。また、各部材の断面形状も上記実施形態に限定されない。また、中間床梁は、床材の横側縁の中間部の離れた少なくとも２箇所に縦方向に配設してあればよい。
【００２７】
また、上かまち材に斜材を取り付けたものを例示したが、斜材は天梁材の両端に取り付けてもよく、この場合、斜材を取り付けた天梁材を上に重ねて上かまち材と天梁材を中間柱材に装着するとよい。
【００２８】
また、例えば、輸送用パレット１は段差のあるところに置かれると、ベースに歪みが生じ、斜材４１〜４４により上かまち材３１、３２が押し上げられ、その結果、各部材の係合が外れてしまう可能性がある。これを防止するため、中間柱材１１〜１４の突起１１ａ〜１４ａと、天梁材２１、２２と上かまち材３１、３２のうち斜材４１〜４４が取り付けられており、上側に重ねて取り付ける側の部材とに、各部材の係合が外れるのを防止する抜止部を設けてもよい。
【００２９】
例えば、図８に示すように、中間柱材１１の突起１１ａは、基端部に外径方向に突出した抜止部５５を形成し、頂部に向けて径が小さくし、上かまち材３１に抜止部５５に係止される係止穴５６を形成するとよい。この実施形態では、係止穴５６は、中間柱材１１の突起１１ａの頂部が挿通する程度の大きさの穴で、放射状に切り込みを入れ、穴の拡縮が許容されるようになっている。そして、図９に示すように、中間柱材１１に天梁材２１、２２を装着し、その上に上かまち材３１、３２の係止穴５６を挿通する。係止穴５６は中間柱材１１の突起１１ａに挿通されるときに拡径し、抜止部５５に嵌まり係止される。このように各中間柱材１１〜１４と、上かまち材３１、３２との係合構造において、同様に抜止部５５を設けるとよい。これにより、段差のあるところに輸送用パレット１が置かれた場合などにおいて、上かまち材３１、３２が中間柱材１１〜１４から浮き上がることがなくなり、各部材の係合が外れるのを確実に防止できる。
【００３０】
なお、上記構造に限定されず、図１０に示すように、中間柱材１１〜１４の突起１１ａ〜１４ａの基端部に外径方向に突出した抜止爪５７を形成し、上かまち材３１、３２を装着したときに、上かまち材３１、３２の穴がこの爪５３に係止されるようにしてもよい。
【００３１】
また、中間柱材１１〜１４、天梁材２１、２２、上かまち材３１、３２は、それぞれ接離可能なものを例示したが、図１１に示すように、中間柱材１１〜１４と天梁材２１、２２を一体的に構成し、その上に斜材４１〜４４を取り付けた上かまち材３１、３２を取り付けるようにしてもよい。また、図１２に示すように、中間柱材１１〜１４と上かまち材３１、３２を一体的に構成し、その上に斜材４１〜４４を取り付けた天梁材２１、２２を取り付けるようにしてもよい。これにより、組付け点数を減らすことができ、組付けや解体が容易になる。
【００３２】
また、図１３に示すように、天梁材６１、６２は中間柱材１１〜１４に対して対角に架設されるものでもよい。これにより、中間柱材１１〜１４が対角にずれるのを防止できる。この場合、天梁材６１、６２は交点をリベット６３で結合し、組付けや解体が一体的にできるようにするとよい。
【００３３】
また、輸送用パレット１を段積みする際の安定性を向上させるため、図１４に示すように、縦方向に対向する中間柱材（１１、１３）、（１２、１４）をそれぞれ内側に少し傾けてもよい。これにより、輸送用パレット１を段積みした際に、輸送用パレット１が揺れるのを防止することができる。
【００３４】
中間柱材１１〜１４と天梁材２１、２２と上かまち材３１、３２をそれぞれ軸方向に連結する連結構造としては、上述したものに限定されない。例えば、図１５に示すように、中間柱材１１〜１４の頂部に穴１１ｂ〜１４ｂを開け、天梁材２１、２２の端部に中間柱材１１〜１４の頂部の穴１１ｂ〜１４ｂに装着される下方に突出した突起２１ｂ、２２ｂを設け、上方には上方に突出した突起２１ｃ、２２ｃを設け、この突起に上かまち材３１、３２を連結する構造にしてもよい。その他、これに限定されず、種々の連結構造を採用することができる。
【図面の簡単な説明】
【００３５】
【図１】本発明の一実施形態に係る輸送用パレットを示す斜視図。
【図２】輸送用パレットのベースの分解図。
【図３】中間床梁の取付構造を示す図。
【図４】輸送用パレットのベースの斜視図。
【図５】輸送用パレットの分解図。
【図６】中間柱材、天梁材、上かまち材の組付け構造を示す図。
【図７】輸送用パレットの使用状態を示す図。
【図８】中間柱材、天梁材、上かまち材の抜け止め構造の一実施形態を示す図。
【図９】中間柱材、天梁材、上かまち材の抜け止め構造の一実施形態を示す図。
【図１０】中間柱材、天梁材、上かまち材の抜け止め構造の他の実施形態を示す図。
【図１１】輸送用パレットの他の実施形態を示す図。
【図１２】輸送用パレットの他の実施形態を示す図。
【図１３】輸送用パレットの他の実施形態を示す図。
【図１４】輸送用パレットの他の実施形態を示す図。
【図１５】中間柱材と天梁材と上かまち材の連結構造の変形例を示す図。
【符号の説明】
【００３６】
１  輸送用パレット
２  床材
３、４  両端床梁
５、６  中間床梁
７、８  補強材
９  角パイプ
１１〜１４  中間柱材
１１ａ〜１４ａ  中間柱材の上部に設けた突起
２１、２２  天梁材
３１、３２  上かまち材
４１〜４４  斜材
【図１】
2006306413.tif 000003
【図２】
2006306413.tif 000004
【図３】
2006306413.tif 000005
【図４】
2006306413.tif 000006
【図５】
2006306413.tif 000007
【図６】
2006306413.tif 000008
【図７】
2006306413.tif 000009
【図８】
2006306413.tif 000010
【図９】
2006306413.tif 000011
【図１０】
2006306413.tif 000012
【図１１】
2006306413.tif 000013
【図１２】
2006306413.tif 000014
【図１３】
2006306413.tif 000015
【図１４】
2006306413.tif 000016
【図１５】
2006306413.tif 000017